【手続補正書】
【提出日】平成17年9月15日(2005.9.15)
【手続補正１】
【補正対象書類名】明細書
【補正対象項目名】特許請求の範囲
【補正方法】変更
【補正の内容】
【特許請求の範囲】
【請求項１】  任意のカラー用の画像情報に基づいて色画像を形成する装置であって、
像形成体を有して前記画像情報に基づいて色を重ね合わせ色画像を形成する画像形成手段と、
前記画像形成手段によって形成された色画像の位置を検出する検出手段と、
前記検出手段の出力に基づいて前記画像形成手段を制御する制御装置とを備え、
前記制御装置は、少なくとも、
予め色重ね合わせ用の印画像を反転した反転印画像を前記画像形成手段で形成し、
前記画像形成手段で形成された反転印画像の色抜け部分が成す印画像の位置検出に基づいて前記色画像の形成位置を調整するように当該画像形成手段を制御することを特徴とする画像形成装置。
【請求項２】  前記画像形成手段は、
前記色毎に像形成体を有して前記像形成体に当該色のトナー像を形成する複数の画像形成ユニットと、
複数の前記像形成体に形成されたトナー像を転写する画像転写手段とを有することを特徴とする請求項１に記載の画像形成装置。
【請求項３】  前記画像転写手段には中間転写体が設けられ、
前記中間転写体の幅方向を主走査方向とし、前記主走査方向に直交する方向を副走査方向としたとき、
前記印画像は、
前記主走査方向に平行な線画及び前記副走査方向に直交しない斜線画を組み合わせて成ることを特徴とする請求項１又は２に記載の画像形成装置。
【請求項４】  前記画像形成ユニットには前記中間転写体にトナー像を形成する現像装置が備えられ、
前記現像装置によって中間転写体に形成されたトナー像部分が反転印画像を成し、前記トナー像を形成しない色抜け部分が印画像を成すことを特徴とする請求項１又は２に記載の画像形成装置。
【請求項５】  前記検出手段から前記反転印画像の色抜け部分が成す印画像に係る位置検出信号が出力され、
前記位置検出信号に関しては色抜け部分以外をマスクするようにしたことを特徴とする請求項１又は２に記載の画像形成装置。
【請求項６】  前記画像形成ユニットによって、
前記中間転写体の主走査方向及び副走査方向に任意の幅を有するように前記反転印画像が形成され、
前記反転印画像の幅は、
前記主走査方向又は副走査方向で任意に可変されることを特徴とする請求項１又は２に記載の画像形成装置。
【請求項７】  前記制御装置は、
前記中間転写体の主走査方向に二以上の反転印画像を並べて形成する場合に、
前記中間転写体に形成される一方の反転印画像の下部と、他方の反転印画像の上部とを重なるように前記画像形成ユニットを制御することを特徴とする請求項１又は２に記載の画像形成装置。
【請求項８】  前記画像形成手段は、
前記色を重ね合わせて色画像を形成する１つの像形成体と、
前記像形成体に色画像を形成する複数の画像形成ユニットとを有することを特徴とする請求項１に記載の画像形成装置。
【請求項９】  前記像形成体が無終端状体を有し、
前記像形成体の幅方向を主走査方向とし、前記主走査方向に直交する方向を副走査方向としたとき、
前記印画像は、
前記主走査方向に平行な線画及び前記副走査方向に直交しない斜線画を組み合わせて成ることを特徴とする請求項１又は８に記載の画像形成装置。
【請求項１０】  前記画像形成ユニットには前記像形成体にトナー像を形成する現像装置が備えられ、
前記現像装置によって像形成体に形成されたトナー像部分が反転印画像を成し、前記トナー像を形成しない色抜け部分が印画像を成すことを特徴とする請求項１又は８に記載の画像形成装置。
【請求項１１】  前記検出手段から前記反転印画像の色抜け部分が成す印画像に係る位置検出信号が出力され、
前記位置検出信号に関しては色抜け部分以外をマスクするようにしたことを特徴とする請求項１又は８に記載の画像形成装置。
【請求項１２】  前記画像形成ユニットによって、
前記像形成体の主走査方向及び副走査方向に任意の幅を有するように前記反転印画像が形成され、
前記反転印画像の幅は、
前記主走査方向又は副走査方向で任意に可変されることを特徴とする請求項１又は８に記載の画像形成装置。
【請求項１３】  前記制御装置は、
前記像形成体の副走査方向に二以上の反転印画像を並べて形成する場合に、
前記像形成体に形成される一方の反転印画像の下部と、他方の反転印画像の上部とを重なるように前記画像形成ユニットを制御することを特徴とする請求項１又は８に記載の画像形成装置。
【請求項１４】  任意の画像情報に基づいて色を重ね合わせて画像形成系で色画像を形成する方法であって、
予め色重ね合わせ用の印画像を反転するための反転印画像情報を準備し、
前記反転印画像情報に基づいて画像形成系で反転印画像を形成し、
前記画像形成系で形成された反転印画像の色抜け部分が成す印画像の位置を検出し、
前記色抜け部分が成す印画像の位置に基づいて前記色画像の形成位置を調整することを特徴とする画像形成方法。
【請求項１５】  前記色毎に像形成体を準備し、
前記像形成体に当該色のトナー像を形成し、
複数の前記像形成体に形成されたトナー像を画像転写系に転写することを特徴とする請求項１４に記載の画像形成方法。
【請求項１６】  前記画像転写系に中間転写体を設け、
前記中間転写体の幅方向を主走査方向とし、前記主走査方向に直交する方向を副走査方向としたとき、
前記印画像は、
前記主走査方向に平行な線画及び前記副走査方向に直交しない斜線画を組み合わせて成ることを特徴とする請求項１４又１５に記載の画像形成方法。
【請求項１７】  前記中間転写体の副走査方向に二以上の反転印画像を並べて形成する場合であって、
前記中間転写体に形成される一方の反転印画像の下部と、他方の反転印画像の上部とを重なるようにしたことを特徴とする請求項１４、１５又は１６のいずれかに記載の画像形成方法。
【請求項１８】  前記主走査方向及び副走査方向に任意の幅を有するように前記反転印画像を形成し、
前記主走査方向又は副走査方向で任意に前記反転印画像の幅を可変するようにしたことを特徴とする請求項１４、１５又は１６のいずれかに記載の画像形成方法。
【請求項１９】  前記反転印画像情報に基づいて中間転写体にトナー像を形成したとき、
前記中間転写体に形成されたトナー像部分が反転印画像を成し、
前記トナー像を形成しない色抜け部分が印画像を成すことを特徴とする請求項１４、１５又は１６のいずれかに記載の画像形成方法。
【請求項２０】  前記反転印画像は、
前記色抜け部分により形成される印画像の全体を取り囲む矩形状のパターンを成すことを特徴とする請求項１４、１５又は１６のいずれかに記載の画像形成方法。
【請求項２１】  前記反転印画像は、
前記色抜け部分を仕切る複数の部分図形パターンを成すことを特徴とする請求項１４、１５又は１６のいずれかに記載の画像形成方法。
【請求項２２】  前記色を重ね合わせて  色画像を形成する１つの像形成体を準備し、
前記像形成体に各色のトナー像を重ねて形成することを特徴とする請求項１４に記載の画像形成方法。
【請求項２３】  前記像形成体の幅方向を主走査方向とし、前記主走査方向に直交する方向を副走査方向としたとき、
前記印画像は、
前記主走査方向に平行な線画及び前記副走査方向に直交しない斜線画を組み合わせて成ることを特徴とする請求項１４又は２２に記載の画像形成方法。
【請求項２４】  前記像形成体の副走査方向に二以上の反転印画像を並べて形成する場合であって、
前記像形成体に形成される一方の反転印画像の下部と、他方の反転印画像の上部とを重なるようにしたことを特徴とする請求項１４、２２又は２３のいずれかに記載の画像形成方法。
【請求項２５】  前記主走査方向及び副走査方向に任意の幅を有するように前記反転印画像を形成し、
前記主走査方向又は副走査方向で任意に前記反転印画像の幅を可変するようにしたことを特徴とする請求項１４、２２又は２３のいずれかに記載の画像形成方法。
【請求項２６】  前記反転印画像情報に基づいて像形成体にトナー像を形成したとき、
前記像形成体に形成されたトナー像部分が反転印画像を成し、
前記トナー像を形成しない色抜け部分が印画像を成すことを特徴とする請求項１４、２２又は２３のいずれかに記載の画像形成方法。
【請求項２７】  前記反転印画像は、
前記色抜け部分により形成される印画像の全体を取り囲む矩形状のパターンを成すことを特徴とする請求項１４、２２又は２３のいずれかに記載の画像形成方法。
【請求項２８】  前記反転印画像は、
前記色抜け部分を仕切る複数の部分図形パターンを成すことを特徴とする請求項１４、２２又は２３のいずれかに記載の画像形成方法。
【請求項２９】  任意のカラー用の画像情報に基づいて色画像を形成する装置であって、
像形成体を有して前記画像情報に基づいて色を重ね合わせ色画像を形成する画像形成手段と、
前記画像形成手段によって形成された色画像の位置を検出する検出手段と、
前記検出手段の出力に基づいて前記画像形成手段を制御する制御装置とを備え、
前記制御装置は、少なくとも、
前記画像形成手段の使用状況に応じて、
色重ね合わせ用の印画像又は該印画像を反転した反転印画像を前記画像形成手段で形成し、
前記画像形成手段で形成された印画像又は反転印画像の色抜け部分が成す印画像の位置検出に基づいて前記色画像の形成位置を調整するように前記画像形成手段を制御することを特徴とする画像形成装置。
【請求項３０】  前記画像形成手段は、
前記色毎に像形成体を有して前記像形成体に当該色のトナー像を形成する複数の画像形成ユニットと、
複数の前記像形成体に形成されたトナー像を転写する画像転写手段とを有することを特徴とする請求項２９に記載の画像形成装置。
【請求項３１】  前記画像転写手段には中間転写体が設けられ、
前記中間転写体に色重ね合わせ用の印画像又は該印画像を反転した反転印画像が形成される場合であって、
前記印画像を形成するための印画像情報及び前記反転印画像を形成するための反転印画像情報を記憶する記憶装置を備え、
前記制御装置は、
前記中間転写体の色画像形成面の表面状態を前記検出手段で検出すると共に、
前記検出手段の出力に基づいて前記中間転写体の表面状態の良否を判断し前記記憶装置の情報選択読出し制御をすることを特徴とする請求項２９又は３０に記載の画像形成装置。
【請求項３２】  前記制御装置は、
前記色画像形成面の表面状態が良好である場合は、
前記印画像情報に基づいて印画像を前記中間転写体に形成し、
前記画像転写手段に形成された印画像の位置検出に基づいて前記色画像の形成位置を調整し、
前記色画像形成面に表面状態が予め定めた制御基準値よりも劣る場合は、
前記反転印画像情報に基づいて反転印画像を前記中間転写体に形成し、
前記画像転写手段に形成された反転印画像の色抜け部分が成す印画像の位置検出に基づいて前記色画像の形成位置を調整することを特徴とする請求項２９又は３０に記載の画像形成装置。
【請求項３３】  前記印画像情報に基づいて印画像を前記中間転写体に形成し、
前記中間転写体に形成された印画像の位置検出に基づいて前記色画像の形成位置を調整する処理を第１調整モードとし、
前記反転印画像情報に基づいて反転印画像を前記中間転写体に形成し、
前記中間転写体に形成された反転印画像の色抜け部分が成す印画像の位置検出に基づいて前記色画像の形成位置を調整する処理を第２調整モードとしたとき、
前記第１調整モード又は第２調整モードのいずれかを選択する操作手段を備え、
前記操作手段の出力に基づいて前記制御装置を制御することを特徴とする請求項２９又は３０に記載の画像形成装置。
【請求項３４】  前記検出手段は、
前記中間転写体の幅方向を主走査方向としたとき、
前記主走査方向に複数個が並べて取り付けられることを特徴とする請求項２９又は３０に記載の画像形成装置。
【請求項３５】  前記制御装置は、
前記検出手段の検出出力を入力し前記中間転写体の表面状態に対応して色画像形成面に印画像又は該印画像を反転した反転印画像を形成するように前記画像形成ユニットを制御することを特徴とする請求項２９又は３０に記載の画像形成装置。
【請求項３６】  前記画像転写手段には、
新品検知用のヒューズが設けられ、
前記画像形成ユニットには、前記ヒューズの溶断有無に基づく新品検知信号を出力すると共に、外部設定信号に基づいて前記ヒューズを溶断する識別回路とを備えることを特徴とする請求項２９又は３０に記載の画像形成装置。
【請求項３７】  前記制御装置が画像形成ユニットを前記第２調整モードに基づいて制御していた場合であって、
前記画像形成ユニットの識別回路から得られた新品検知信号が「画像転写手段は新品である」を示す場合に前記第２調整モードから第１調整モードに切り替えて前記画像形成ユニットを制御することを特徴とする請求項２９、３０又は３６のいずれかに記載の画像形成装置。
【請求項３８】  前記制御装置は、
前記画像形成ユニットの識別回路から得られる新品検知信号に基づいて前記中間転写体の色画像形成面に印画像又は該印画像を反転した反転印画像を形成するように前記画像形成ユニットを制御することを特徴とする請求項２９、３０又は３６のいずれかに記載の画像形成装置。
【請求項３９】  前記画像形成手段は、
前記色を重ね合わせて色画像を形成する１つの像形成体と、
前記像形成体に色画像を形成する複数の画像形成ユニットとを有することを特徴とする請求項２９に記載の画像形成装置。
【請求項４０】  前記像形成体に色重ね合わせ用の印画像又は該印画像を反転した反転印画像が形成される場合であって、
前記印画像を形成するための印画像情報及び前記反転印画像を形成するための反転印画像情報を記憶する記憶装置を備え、
前記制御装置は、
前記像形成体の色画像形成面の表面状態を前記検出手段で検出すると共に、
前記検出手段の出力に基づいて前記像形成体の表面状態の良否を判断し前記記憶装置の情報選択読出し制御をすることを特徴とする請求項２９又は３９に記載の画像形成装置。
【請求項４１】  前記制御装置は、
前記色画像形成面の表面状態が良好である場合は、
前記印画像情報に基づいて印画像を前記像形成体に形成し、
前記画像形成手段で形成された印画像の位置検出に基づいて前記色画像の形成位置を調整し、
前記色画像形成面に表面状態が予め定めた制御基準値よりも劣る場合は、
前記反転印画像情報に基づいて反転印画像を前記像形成体に形成し、
前記画像形成手段で形成された反転印画像の色抜け部分が成す印画像の位置検出に基づいて前記色画像の形成位置を調整することを特徴とする請求項２９又は３９に記載の画像形成装置。
【請求項４２】  前記印画像情報に基づいて印画像を前記像形成体に形成し、
前記像形成体に形成された印画像の位置検出に基づいて前記色画像の形成位置を調整する処理を第１調整モードとし、
前記反転印画像情報に基づいて反転印画像を前記像形成体に形成し、
前記像形成体に形成された反転印画像の色抜け部分が成す印画像の位置検出に基づいて前記色画像の形成位置を調整する処理を第２調整モードとしたとき、
前記第１調整モード又は第２調整モードのいずれかを選択する操作手段を備え、
前記操作手段の出力に基づいて前記制御装置を制御することを特徴とする請求項２９又は３９に記載の画像形成装置。
【請求項４３】  前記検出手段は、
前記像形成体の幅方向を主走査方向とし、前記主走査方向に直交する方向を副走査方向としたとき、
前記副走査方向に複数個が並べて取り付けられることを特徴とする請求項２９又は３９に記載の画像形成装置。
【請求項４４】  前記制御装置は、
前記検出手段の検出出力を入力し前記像形成体の表面状態に対応して色画像形成面に印画像又は該印画像を反転した反転印画像を形成するように前記画像形成ユニットを制御することを特徴とする請求項２９又は３９に記載の画像形成装置。
【請求項４５】  前記像形成体には、
新品検知用のヒューズが設けられ、
前記画像形成ユニットには、前記ヒューズの溶断有無に基づく新品検知信号を出力すると共に、外部設定信号に基づいて前記ヒューズを溶断する識別回路とを備えることを特徴とする請求項２９又は３９に記載の画像形成装置。
【請求項４６】  前記制御装置が画像形成ユニットを前記第２調整モードに基づいて制御していた場合であって、
前記画像形成ユニットの識別回路から得られた新品検知信号が「像形成体は新品である」を示す場合に前記第２調整モードから第１調整モードに切り替えて前記画像形成ユニットを制御することを特徴とする請求項２９、３９又は４５のいずれかに記載の画像形成装置。
【請求項４７】  前記制御装置は、
前記画像形成ユニットの識別回路から得られる新品検知信号に基づいて前記像形成体の色画像形成面に印画像又は該印画像を反転した反転印画像を形成するように前記画像形成ユニットを制御することを特徴とする請求項２９、３９又は４５に記載の画像形成装置。
【請求項４８】  任意の画像情報に基づいて色を重ね合わせ画像形成系で色画像を形成する方法であって、
色重ね合わせ用の印画像を形成するための印画像情報又は該印画像を反転した反転印画像を形成するための反転印画像情報を予め準備し、
その後、
前記画像形成系の色画像形成面の表面状態を検出し、
前記色画像形成面の表面状態に応じて印画像情報に基づく印画像を前記画像転写系に形成し、又は、
前記反転印画像情報に基づく反転印画像を前記画像形成系で形成し、
前記画像形成系で形成された印画像又は反転印画像の色抜け部分が成す印画像の位置検出に基づいて前記色画像の形成位置を調整することを特徴とする画像形成方法。
【請求項４９】  前記色毎に像形成体を準備し、
前記像形成体に当該色のトナー像を形成し、
複数の前記像形成体に形成されたトナー像を画像転写系に転写することを特徴とする請求項４８に記載の画像形成方法。
【請求項５０】  前記画像転写系に中間転写体を設け、
前記中間転写体の色画像形成面の表面状態を検出すると共に、当該検出結果に基づいて前記中間転写体の表面状態の良否を判断し、
前記中間転写体の表面状態の良否に応じて当該中間転写体に色重ね合わせ用の印画像又は該印画像を反転した反転印画像を形成することを特徴とする請求項４８又は４９に記載の画像形成方法。
【請求項５１】  前記色画像形成面の表面状態が良好である場合は、
前記印画像情報に基づいて印画像を前記中間転写体に形成し、
前記中間転写体に形成された印画像の位置検出に基づいて前記色画像の形成位置を調整し、
前記色画像形成面に表面状態が予め定めた制御基準値よりも劣る場合は、
前記反転印画像情報に基づいて反転印画像を前記中間転写体に形成し、
前記中間転写体に形成された反転印画像の色抜け部分が成す印画像の位置検出に基づいて前記色画像の形成位置を調整することを特徴とする請求項４８、４９又は５０のいずれかに記載の画像形成方法。
【請求項５２】  前記印画像情報に基づいて印画像を前記中間転写体に形成し、
前記中間転写体に形成された印画像の位置検出に基づいて前記色画像の形成位置を調整する処理を第１調整モードとし、
前記反転印画像情報に基づいて反転印画像を前記中間転写体に形成し、
前記中間転写体に形成された反転印画像の色抜け部分が成す印画像の位置検出に基づいて前記色画像の形成位置を調整する処理を第２調整モードとしたとき、
前記第１調整モード又は第２調整モードのいずれかを選択するようにしたことを特徴とする請求項４８、４９又は５０のいずれかに記載の画像形成方法。
【請求項５３】  前記中間転写体の幅方向を主走査方向としたとき、
前記主走査方向に複数個の検出系を並べ配置し、
前記中間転写体の色画像形成面の状態を各々の検出系で検出するようにしたことを特徴とする請求項４８、４９又は５０のいずれかに記載の画像形成方法。
【請求項５４】  前記中間転写体に新品検知用のヒューズを取り付けると共に、画像形成系に該ヒューズを溶断する識別回路とを取り付け、
前記中間転写体を新規使用する場合又は当該中間転写体が新品と交換された場合は、
前記ヒューズを溶断すると共に、
前記識別回路から得られる新品検知信号に基づいて前記色画像の形成位置を調整する第１調整モードで画像形成処理をすることを特徴とする請求項４８、４９又は５０のいずれかに記載の画像形成方法。
【請求項５５】  前記画像形成系の識別回路から得られる新品検知信号に基づいて前記中間転写体の色画像形成面に印画像又は該印画像を反転した反転印画像を形成するようにしたことを特徴とする請求項４８、４９、５０又は５４のいずれかに記載の画像形成方法。
【請求項５６】  前記第２調整モードに基づいて色画像の形成位置を調整する処理をしていた場合であって、
前記画像形成系の識別回路から得られた新品検知信号が「中間転写体は新品である」を示す場合に前記第２調整モードから第１調整モードに画像形成処理を切り替えることを特徴とする請求項４８、４９、５０又は５４のいずれかに記載の画像形成方法。
【請求項５７】  前記色を重ね合わせて色画像を形成する１つの像形成体を準備し、
前記像形成体に各色のトナー像を重ねて形成することを特徴とする請求項４８に記載の画像形成方法。
【請求項５８】  前記像形成体の色画像形成面の表面状態を検出すると共に、当該検出結果に基づいて前記像形成体の表面状態の良否を判断し、
前記像形成体の表面状態の良否に応じて当該像形成体に色重ね合わせ用の印画像又は該印画像を反転した反転印画像を形成することを特徴とする請求項４８又は５７に記載の画像形成方法。
【請求項５９】  前記色画像形成面の表面状態が良好である場合は、
前記印画像情報に基づいて印画像を前記像形成体に形成し、
前記像形成体に形成された印画像の位置検出に基づいて前記色画像の形成位置を調整し、
前記色画像形成面に表面状態が予め定めた制御基準値よりも劣る場合は、
前記反転印画像情報に基づいて反転印画像を前記像形成体に形成し、
前記像形成体に形成された反転印画像の色抜け部分が成す印画像の位置検出に基づいて前記色画像の形成位置を調整することを特徴とする請求項４８又は５７に記載の画像形成方法。
【請求項６０】  前記印画像情報に基づいて印画像を前記像形成体に形成し、
前記像形成体に形成された印画像の位置検出に基づいて前記色画像の形成位置を調整する処理を第１調整モードとし、
前記反転印画像情報に基づいて反転印画像を前記像形成体に形成し、
前記像形成体に形成された反転印画像の色抜け部分が成す印画像の位置検出に基づいて前記色画像の形成位置を調整する処理を第２調整モードとしたとき、
前記第１調整モード又は第２調整モードのいずれかを選択するようにしたことを特徴とする請求項４８又は５７に記載の画像形成方法。
【請求項６１】  前記像形成体の幅方向を主走査方向としたとき、
前記主走査方向に複数個の検出系を並べ配置し、
前記像形成体の色画像形成面の状態を各々の検出系で検出するようにしたことを特徴とする請求項４８又は５７に記載の画像形成方法。
【請求項６２】  前記像形成体に新品検知用のヒューズを取り付けると共に、画像形成系に該ヒューズを溶断する識別回路とを取り付け、
前記像形成体を新規使用する場合又は当該像形成体が新品と交換された場合は、
前記ヒューズを溶断すると共に、
前記識別回路から得られる新品検知信号に基づいて前記色画像の形成位置を調整する第１調整モードで画像形成処理をすることを特徴とする請求項４８又は５７に記載の画像形成方法。
【請求項６３】  前記画像形成系の識別回路から得られる新品検知信号に基づいて前記像形成体の色画像形成面に印画像又は該印画像を反転した反転印画像を形成するようにしたことを特徴とする請求項４８、５７又は６２のいずれかに記載の画像形成方法。
【請求項６４】  前記第２調整モードに基づいて色画像の形成位置を調整する処理をしていた場合であって、
前記画像形成系の識別回路から得られた新品検知信号が「像形成体は新品である」を示す場合に前記第２調整モードから第１調整モードに画像形成処理を切り替えることを特徴とする請求項４８、５７又は６２のいずれかに記載の画像形成方法。
【請求項６５】  像形成体に色ずれ補正用の印画特許請求の範囲像を形成し、当該印画像の通過タイミングを読み取って、当該印画像に対する他の印画像の位置ずれ量を算出し画像形成位置を補正した後に、任意の画像情報に基づいて色画像を形成する方法であって、
前記像形成体の所定の位置に各色毎に濃度の異なる任意数の色濃度検出用の切片画像を形成し、
前記像形成体に形成された前記切片画像を印画像位置検出用の検出系で読み取り、
前記印画像位置検出用の検出系から得られた読取り結果に基づいて各色の色ずれ補正用の印画像の濃度を決定することを特徴とする画像形成方法。
【請求項６６】  前記像形成体で切片画像が形成された部分と、当該切片画像が形成されない部分とを印画像位置検出用の検出系で読み取り、
前記検出系から得られる前記像形成体の切片画像非形成部分の濃度情報を含む位置検出信号と、当該像形成体の切片画像形成部分の各色の濃度情報を含む位置検出信号とに基づいて前記検出系によって前記印画像を検出する際の制御基準値を各色毎に決定することを特徴とする請求項６５に記載の画像形成方法。
【請求項６７】  前記色毎に像形成体を準備し、
前記像形成体に当該色のトナー像を形成し、
複数の前記像形成体に形成されたトナー像を画像転写系に転写することを特徴とする請求項６５に記載の画像形成方法。
【請求項６８】  前記画像転写系に中間転写体を設け、
前記中間転写体の幅方向を主走行方向としたとき、
前記主走行方向に直交する副走査方向の所定位置に連続して前記印画像位置検出用の検出系及び画像濃度検出用の検出系を設けることを特徴とする請求項６７に記載の画像形成方法。
【請求項６９】  前記色を重ね合わせて色画像を形成する１つの像形成体を準備し、
前記像形成体に各色のトナー像を重ねて形成することを特徴とする請求項６５に記載の画像形成方法。
【請求項７０】  像形成体に色ずれ補正用の印画像を形成し、当該印画像の通過タイミングを読み取って、当該印画像に対する他の印画像の位置ずれ量を算出して画像形成位置を補正し、その後、任意の画像情報に基づいて色画像を形成する方法であって、
前記像形成体の所定の位置に全色の濃度検出用の切片画像を形成し、
前記像形成体に形成された前記切片画像を色濃度検出用の検出系で読み取るシーケンスに基づいて、当該切片画像を印画像位置検出用の検出系で読み取り、
前記印画像位置検出用の検出系から得られた読取り結果に基づいて各色の色ずれ補正用の印画像の濃度を決定することを特徴とする画像形成方法。
【請求項７１】  前記色毎に像形成体を準備し、
前記像形成体に当該色のトナー像を形成し、
複数の前記像形成体に形成されたトナー像を画像転写系に転写することを特徴とする請求項７０に記載の画像形成方法。
【請求項７２】  前記画像転写系に中間転写体を設け、
前記中間転写体の幅方向を主走行方向としたとき、
前記主走行方向に直交する副走査方向の所定位置に連続して前記印画像位置検出用の検出系及び画像濃度検出用の検出系を設けることを特徴とする請求項７１に記載の画像形成方法。
【請求項７３】  前記色を重ね合わせて色画像を形成する１つの像形成体を準備し、
前記像形成体に各色のトナー像を重ねて形成することを特徴とする請求項７０に記載の画像形成方法。
【手続補正２】
【補正対象書類名】明細書
【補正対象項目名】００１７
【補正方法】削除
【補正の内容】
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】変更
【補正の内容】
【００２４】
【課題を解決するための手段】
上記課題を解決するために、本発明の請求項１に係る画像形成装置は、任意のカラー用の画像情報に基づいて色画像を形成する装置であって、像形成体を有して画像情報に基づいて色を重ね合わせ色画像を形成する画像形成手段と、この画像形成手段によって形成された色画像の位置を検出する検出手段と、この検出手段の出力に基づいて画像形成手段を制御する制御装置とを備え、制御装置は、少なくとも、予め色重ね合わせ用の印画像を反転した反転印画像を画像形成手段で形成し、この画像形成手段で形成された反転印画像の色抜け部分が成す印画像の位置検出に基づいて色画像の形成位置を調整するように当該画像形成手段を制御することを特徴とするものである。
【手続補正１０】
【補正対象書類名】明細書
【補正対象項目名】００２５
【補正方法】変更
【補正の内容】
【００２５】
請求項１に係る画像形成装置によれば、任意の画像情報に基づいて色を重ね合わせ色画像を形成する場合に、例えば、画像形成手段を構成する画像形成ユニットによって画像転写手段に色画像が形成される。この画像転写手段に形成された色画像の位置は検出手段によって検出される。制御装置では検出手段の出力に基づいて画像転写手段又は画像形成ユニットを制御するようになされる。
【手続補正１１】
【補正対象書類名】明細書
【補正対象項目名】００２８
【補正方法】変更
【補正の内容】
【００２８】
本発明の請求項１４に係る画像形成方法は任意の画像情報に基づいて色を重ね合わせて色画像を形成する方法であって、予め色重ね合わせ用の印画像を反転するための反転印画像情報を準備し、この反転印画像情報に基づいて画像形成系で反転印画像を形成し、この画像形成系で形成された反転印画像の色抜け部分が成す印画像の位置を検出し、色抜け部分が成す印画像の位置に基づいて色画像の形成位置を調整することを特徴とするものである。
【手続補正１２】
【補正対象書類名】明細書
【補正対象項目名】００２９
【補正方法】変更
【補正の内容】
【００２９】
請求項１４に係る画像形成方法によれば、色抜け部分が印画像を成す反転印画像を画像転写系や像形成体等に再現性良く形成できるので、メンテナンス等の際に画像転写系に不本意に生じた傷等をこの反転印画像によって覆い隠すことが
できる。
【手続補正１３】
【補正対象書類名】明細書
【補正対象項目名】００３１
【補正方法】変更
【補正の内容】
【００３１】
本発明の請求項２９に係る画像形成装置は任意のカラー用の画像情報に基づいて色画像を形成する装置であって、像形成体を有して画像情報に基づいて色を重ね合わせ色画像を形成する画像形成手段と、この画像形成手段によって形成された色画像の位置を検出する検出手段と、この検出手段の出力に基づいて画像形成手段を制御する制御装置とを備え、制御装置は、少なくとも、画像形成手段の使用状況に応じて、色重ね合わせ用の印画像又は該印画像を反転した反転印画像を画像形成手段で形成し、この画像形成手段で形成された印画像又は反転印画像の色抜け部分が成す印画像の位置検出に基づいて色画像の形成位置を調整するように画像形成手段を制御することを特徴とするものである。
【手続補正１４】
【補正対象書類名】明細書
【補正対象項目名】００３２
【補正方法】変更
【補正の内容】
【００３２】
請求項２９に係る画像形成装置によれば、任意の画像情報に基づいて色を重ね合わせ色画像を形成する場合に、例えば、画像形成手段を構成する画像形成ユニットでは画像転写手段に色画像が形成される。位置検出用の検出手段では画像転写手段に形成された色画像の位置が検出される。制御装置では検出手段の出力に基づいて画像転写手段又は画像形成ユニットが制御される。
【手続補正１５】
【補正対象書類名】明細書
【補正対象項目名】００３６
【補正方法】変更
【補正の内容】
【００３６】
本発明の請求項４８に係る画像形成方法は、任意の画像情報に基づいて色を重ね合わせ画像形成系で色画像を形成する方法であって、色重ね合わせ用の印画像を形成するための印画像情報又は該印画像を反転した反転印画像を形成するための反転印画像情報を予め準備し、その後、画像形成系の色画像形成面の表面状態を検出し、色画像形成面の表面状態に応じて印画像情報に基づく印画像を画像転写系に形成し、又は、反転印画像情報に基づく反転印画像を画像形成系で形成し、この画像形成系で形成された印画像又は反転印画像の色抜け部分が成す印画像の位置検出に基づいて色画像の形成位置を調整することを特徴とするものである。
【手続補正１６】
【補正対象書類名】明細書
【補正対象項目名】００３７
【補正方法】変更
【補正の内容】
【００３７】
請求項４８に係る画像形成方法によれば、例えば、画像形成系において、画像転写系や像形成体等を新規に使用する場合や、当該画像転写系が新品と交換された場合等は、印画像の位置検出に基づいて色画像の形成位置を調整することができる。メンテナンスや部品消耗等の経時的な変化により画像転写系に傷等が生じた場合は、反転印画像により傷等を覆い隠すことができるので、本来の印画像の位置を正確に検出することができる。
【手続補正１７】
【補正対象書類名】明細書
【補正対象項目名】００３９
【補正方法】変更
【補正の内容】
【００３９】
本発明の請求項６５に係る画像形成方法は、像形成体に色ずれ補正用の印画像を形成し、当該印画像の通過タイミングを読み取って、当該印画像に対する他の印画像の位置ずれ量を算出し画像形成位置を補正した後に、任意の画像情報に基づいて色画像を形成する方法であって、像形成体の所定の位置に各色毎に濃度の異なる任意数の色濃度検出用の切片画像を形成し、像形成体に形成された切片画像を印画像位置検出用の検出系で読み取り、この印画像位置検出用の検出系から得られた読取り結果に基づいて各色の色ずれ補正用の印画像の濃度を決定することを特徴とするものである。
【手続補正１８】
【補正対象書類名】明細書
【補正対象項目名】００４０
【補正方法】変更
【補正の内容】
【００４０】
請求項６５に係る画像形成方法によれば、色ずれ補正モードに必要な全色の印画像を最適な濃度に設定することができる。従って、画像転写系や像形成体等における反射光量の変動や、センサ発光量の低減等により使用環境が経時的に変化した場合であっても、色ずれ補正モードにおける印画像作成時の印画像の濃度にフィードバックすることができる。
【手続補正１９】
【補正対象書類名】明細書
【補正対象項目名】００４１
【補正方法】変更
【補正の内容】
【００４１】
また、請求項６５に係る画像形成方法によれば、像形成体で切片画像が形成された部分と、当該切片画像が形成されない部分とを印画像位置検出用の検出系で読み取り、この検出系から得られる像形成体の切片画像非形成部分の濃度情報を含む位置検出信号と、当該像形成体の切片画像形成部分の各色の濃度情報を含む位置検出信号とに基づいて印画像位置検出用の検出系によって印画像を検出する際の制御基準値を各色毎に決定する。
【手続補正２０】
【補正対象書類名】明細書
【補正対象項目名】００４３
【補正方法】変更
【補正の内容】
【００４３】
本発明の請求項７０に係る画像形成方法は、像形成体に色ずれ補正用の印画像を形成し、当該印画像の通過タイミングを読み取って、当該印画像に対する他の印画像の位置ずれ量を算出して画像形成位置を補正し、その後、任意の画像情報に基づいて色画像を形成する方法であって、像形成体の所定の位置に全色の濃度検出用の切片画像を形成し、像形成体に形成された切片画像を色濃度検出用の検出系で読み取るシーケンスに基づいて、当該切片画像を印画像位置検出用の検出系で読み取り、この印画像位置補正用の検出系から得られた読取り結果に基づいて各色の色ずれ補正用の印画像の濃度を決定することを特徴とするものである。
【手続補正２１】
【補正対象書類名】明細書
【補正対象項目名】００４４
【補正方法】変更
【補正の内容】
【００４４】
請求項７０に係る画像形成方法によれば、色濃度検出用の検出系で切片画像を読み取るタイミングで、印画像位置補正用の検出系から出力される濃度情報を含む位置検出信号に基づいて全色の印画像を最適な濃度に設定することができる。
【手続補正２２】
【補正対象書類名】明細書
【補正対象項目名】０４５３
【補正方法】削除
【補正の内容】
【手続補正２３】
【補正対象書類名】明細書
【補正対象項目名】０４５４
【補正方法】削除
【補正の内容】
【手続補正２４】
【補正対象書類名】明細書
【補正対象項目名】０４５５
【補正方法】変更
【補正の内容】
【０４５５】
【発明の効果】
以上説明したように、請求項１に係る画像形成装置及び請求項１４に係る画像形成方法によれば、任意の画像情報に基づいて色を重ね合わせ色画像を形成する場合に、色重ね合わせ用の印画像を反転した反転印画像に基づいて画像形成手段を制御する制御装置を備え、少なくとも、予め反転印画像を画像形成手段で形成し、その後、この反転印画像の色抜け部分が成す印画像の位置検出に基づいて色画像の形成位置を調整するように画像形成手段を制御するものである。
【手続補正２５】
【補正対象書類名】明細書
【補正対象項目名】０４５７
【補正方法】変更
【補正の内容】
【０４５７】
請求項２９に係る画像形成装置及び請求項４８に係る画像形成方法によれば、色画像の位置検出に基づいて画像形成手段を制御する制御装置を備え、この制御装置は少なくとも、画像形成手段の使用状況に応じて色重ね合わせ用の印画像又は該印画像を反転した反転印画像を画像形成手段で形成し、この画像形成手段で形成された印画像又は反転印画像の色抜け部分が成す印画像の位置検出に基づいて色画像の形成位置を調整するように画像形成手段を制御するものである。
【手続補正２６】
【補正対象書類名】明細書
【補正対象項目名】０４５９
【補正方法】変更
【補正の内容】
【０４５９】
請求項６５に係る画像形成方法によれば、像形成体の所定の位置に各色毎に濃度の異なる任意数の色濃度検出用の切片画像を形成し、像形成体に形成された切片画像を印画像位置検出用の検出系で読み取り、この印画像位置検出用の検出系から得られた読取り結果に基づいて各色の色ずれ補正用の印画像の濃度を決定するようになされる。
【手続補正２７】
【補正対象書類名】明細書
【補正対象項目名】０４６１
【補正方法】変更
【補正の内容】
【０４６１】
請求項７０に係る画像形成方法によれば、像形成体の所定の位置に全色の濃度検出用の切片画像を形成し、像形成体に形成された切片画像を色濃度検出用の検出系で読み取ると共に、当該切片画像を印画像位置補正用の検出系でも読み取り、この印画像位置補正用の検出系から得られた読取り結果に基づいて各色の色ずれ補正用の印画像の濃度を決定するようになされる。